【手続補正書】
【提出日】平成25年11月14日(2013.11.14)
【手続補正１】
【補正対象書類名】特許請求の範囲
【補正対象項目名】全文
【補正方法】変更
【補正の内容】
【特許請求の範囲】
【請求項１】
通電により誘導磁界を発生させる変圧器コイルおよび積層鉄心をタンクに内蔵する変圧器本体、前記変圧器コイルを絶縁及び冷却する絶縁媒体が前記変圧器本体の前記タンクのタンク内を通して循環する配管及びラジエター、および前記変圧器本体の外部口出し線と前記変圧器本体の前記タンクとの絶縁を維持するブッシングを備え、
両端で他部品と結合される変圧器構成部品の少なくとも一端側の前記結合の結合面が変圧器設置基準面に対して略鉛直方向または略水平方向をなし、
前記略鉛直方向をなす結合面を有する結合部はＺ軸−Ｙ軸の２方向またはＺ軸−Ｘ軸の２方向の相対的可移動な構造であり、
前記略水平方向をなす結合面を有する結合部はＸ軸−Ｙ軸の２方向の相対的可移動な構造であることを特徴とする変圧器。
【請求項２】
請求項１に記載の変圧器において、
前記変圧器構成部品が、前記配管及び前記ラジエターの荷重を前記変圧器本体の前記タンクの側に支持させる支持金であり、
この支持金の前記変圧器本体の前記タンクとの結合部の結合面が前記変圧器設置基準面に対して前記略鉛直方向をなし当該結合部がＺ軸−Ｙ軸の２方向またはＺ軸−Ｘ軸の２方向の相対的可移動な構造であることを特徴とする変圧器。
【請求項３】
請求項２に記載の変圧器において、
前記相対的可移動な構造が、前記結合をするためのボルトが挿通される長孔が前記結合部に施された構造であることを特徴とする変圧器。
【請求項４】
請求項２に記載の変圧器において、
前記相対的可移動な構造が、前記結合をするためのボルトが挿通される孔の径が前記結合をするためのボルトの径より、前記相対的可移動を許容する大きさの径であることを特徴とする変圧器。
【請求項５】
請求項２に記載の変圧器において、
前記支持金が複数に分割されその分割部が相互に結合される構造であり、前記結合される結合部が前記相対的可移動な構造であることを特徴とする変圧器。
【請求項６】
請求項５に記載の変圧器において、
前記支持金が前記変圧器設置基準面に対して上下に複数に分割されその分割部が相互に結合される構造であり、
前記結合される結合部の結合面が前記変圧器設置基準面に対して略水平方向であり、前記結合部がＸ軸−Ｙ軸の２方向の前記相対的可移動な構造であることを特徴とする変圧器。
【請求項７】
請求項６に記載の変圧器において、
前記相対的可移動な構造が、前記結合をするためのボルトが挿通される孔が長孔であり前記長孔が前記結合部に施された構造であることを特徴とする変圧器。
【請求項８】
請求項６に記載の変圧器において、
前記相対的可移動な構造が、前記結合をするためのボルトが挿通される孔の径が前記ボルトの径より、前記相対的可移動を許容する大きさの径である
ことを特徴とする変圧器。
【請求項９】
請求項５〜請求項８の何れか一に記載の変圧器において、
前記結合部の一方の結合座の寸法が、他方の結合座の寸法より小さいことを特徴とする変圧器。
【請求項１０】
請求項７〜請求項９の何れか一に記載の変圧器において、
前記結合部の一方の結合座と他方の結合座との間に、前記結合をするためのボルトが挿通される孔と対応する位置に前記孔と略同形状の孔を有し前記一方の結合座及び前記他方の結合座の一方と略同寸法のスペーサが介在していることを特徴とする変圧器。
【請求項１１】
請求項１０に記載の変圧器において、
前記スペーサが、その中心近傍で２分割されていることを特徴とする変圧器。
【請求項１２】
請求項１０に記載の変圧器において、
前記スペーサの孔が長孔であり、前記長孔の長手方向に対して略垂直な方向に、前記長孔の中心近傍で２分割されていることを特徴とする変圧器。
【請求項１３】
請求項１に記載の変圧器において、
前記変圧器構成部品が、前記変圧器本体の上部に設けられたブッシングケース結合配管の補強板に一端が結合され前記ブッシングを取り付けるためのブッシングケースの補強板に他端が結合された結合板であり、
前記ブッシングケース結合配管の補強板と前記結合板との結合部及び前記ブッシングケースの補強板と前記結合板との結合部が、前記相対的可移動な構造であることを特徴とする変圧器。
【請求項１４】
請求項１３に記載の変圧器において、
前記ブッシングケース結合配管の補強板、前記ブッシングケースの補強板、及び前記結合板の何れも、前記変圧器設置基準面に対して略鉛直方向に延在していることを特徴とする変圧器。
【請求項１５】
請求項１４に記載の変圧器において、
前記ブッシングケース結合配管の補強板、前記ブッシングケースの補強板、及び前記結合板の何れも、周方向に複数個配設されており、
前記ブッシングケース結合配管の補強板と前記結合板との結合部及び前記ブッシングケースの補強板と前記結合板との結合部が、Ｚ軸−Ｙ軸の２方向またはＺ軸−Ｘ軸の２方向の相対的可移動な構造であることを特徴とする変圧器。
【請求項１６】
通電により誘導磁界を発生させる変圧器コイルおよび積層鉄心をタンクに内蔵する変圧器本体、前記変圧器コイルを絶縁及び冷却する絶縁媒体が前記変圧器本体の前記タンクのタンク内を通して循環する配管及びラジエター、および前記変圧器本体の外部口出し線と前記変圧器本体の前記タンクとの絶縁を維持するブッシングを備え、
両端で他部品と結合される変圧器構成部品の少なくとも一端の側の前記結合の結合面が変圧器設置基準面に対して略鉛直方向または略水平方向をなし、
前記略鉛直方向をなす結合面を有する結合部はＺ軸−Ｙ軸の２方向またはＺ軸−Ｘ軸の２方向の相対的可移動な構造であり、
前記略水平方向をなす結合面を有する結合部はＸ軸−Ｙ軸の２方向の相対的可移動な構造であることを特徴とする変圧器の製造方法であって、
前記変圧器本体の組立て後に、前記変圧器構成部品の前記一端の前記変圧器本体への前記結合を行うことを特徴とする変圧器の製造方法。
【請求項１７】
請求項１６に記載の変圧器の製造方法において、
前記変圧器構成部品が、前記配管及び前記ラジエターの荷重を前記変圧器本体の前記タンクの側に支持させる支持金であり、
前記支持金の一端を、前記組立て後の前記変圧器本体に結合した後に、前記支持金の他端と前記ラジエターとの結合を行う
ことを特徴とする変圧器の製造方法。
【請求項１８】
請求項１６に記載の変圧器の製造方法において、
前記変圧器構成部品が、前記配管及び前記ラジエターの荷重を前記変圧器本体の前記タンクの側に支持させる支持金であり、
前記支持金は複数に分割されその分割部が相互に結合され、前記結合される結合部が相対的可移動な構造であり、
前記支持金の一端を、前記組立て後の前記変圧器本体に結合した後に、前記支持金の前記複数に分割され分割部をスペーサを介して相互に結合することを特徴とする変圧器の製造方法。
【請求項１９】
請求項１６に記載の変圧器の製造方法において、
前記変圧器構成部品が、前記配管及び前記ラジエターの荷重を前記変圧器本体の前記タンクの側に支持させる支持金であり、
前記支持金は複数に分割されその分割部が相互に結合され、前記結合される結合部が相対的可移動な構造であり、
前記支持金の一端を、前記組立て後の前記変圧器本体に結合した後に、前記支持金の前記複数に分割された分割部を相互に結合し、当該結合された分割部間にスペーサを挿入することを特徴とする変圧器の製造方法。
【請求項２０】
請求項１６に記載の変圧器の製造方法において、
前記変圧器構成部品が、前記変圧器本体の上部に設けられたブッシングケース結合配管の補強板に一端が結合され前記ブッシングを取り付けるためのブッシングケースの補強板に他端が結合された結合板であり、
前記ブッシングケース結合配管の補強板と前記結合板との結合部及び前記ブッシングケースの補強板と前記結合板との結合部が、前記相対的可移動な構造であり、
前記ブッシングケース結合配管への前記補強板の取り付け及び前記ブッシングケースへの前記補強板の取り付けの後に、前記結合板の前記補強板の各々への前記結合を行う
ことを特徴とする変圧器の製造方法。 
【手続補正２】
【補正対象書類名】明細書
【補正対象項目名】０００７
【補正方法】変更
【補正の内容】
【０００７】
この発明に係る変圧器は、通電により誘導磁界を発生させる変圧器コイルおよび積層鉄心をタンクに内蔵する変圧器本体、前記変圧器コイルを絶縁及び冷却する絶縁媒体が前記変圧器本体の前記タンクのタンク内を通して循環する配管及びラジエター、および前記変圧器本体の外部口出し線と前記変圧器本体の前記タンクとの絶縁を維持するブッシングを備え、両端で他部品と結合される変圧器構成部品の少なくとも一端側の前記結合の結合面が変圧器設置基準面に対して略鉛直方向または略水平方向をなし、前記略鉛直方向をなす結合面を有する結合部はＺ軸−Ｙ軸の２方向またはＺ軸−Ｘ軸の２方向の相対的可移動な構造であり、前記略水平方向をなす結合面を有する結合部はＸ軸−Ｙ軸の２方向の相対的可移動な構造であることを特徴とする変圧器である。 
【手続補正３】
【補正対象書類名】明細書
【補正対象項目名】０００８
【補正方法】変更
【補正の内容】
【０００８】
また、この発明に係る変圧器の製造方法は、通電により誘導磁界を発生させる変圧器コイルおよび積層鉄心をタンクに内蔵する変圧器本体、前記変圧器コイルを絶縁及び冷却する絶縁媒体が前記変圧器本体の前記タンクのタンク内を通して循環する配管及びラジエター、および前記変圧器本体の外部口出し線と前記変圧器本体の前記タンクとの絶縁を維持するブッシングを備え、両端で他部品と結合される変圧器構成部品の少なくとも一端の側の前記結合の結合面が変圧器設置基準面に対して略鉛直方向または略水平方向をなし、前記略鉛直方向をなす結合面を有する結合部はＺ軸−Ｙ軸の２方向またはＺ軸−Ｘ軸の２方向の相対的可移動な構造であり、前記略水平方向をなす結合面を有する結合部はＸ軸−Ｙ軸の２方向の相対的可移動な構造であることを特徴とする変圧器の製造方法であって、前記変圧器本体の組立て後に、前記変圧器構成部品の前記一端の前記変圧器本体への前記結合を行うことを特徴とする変圧器の製造方法である。 
【手続補正４】
【補正対象書類名】明細書
【補正対象項目名】０００９
【補正方法】変更
【補正の内容】
【０００９】
この発明は、通電により誘導磁界を発生させる変圧器コイルおよび積層鉄心をタンクに内蔵する変圧器本体、前記変圧器コイルを絶縁及び冷却する絶縁媒体が前記変圧器本体の前記タンクのタンク内を通して循環する配管及びラジエター、および前記変圧器本体の外部口出し線と前記変圧器本体の前記タンクとの絶縁を維持するブッシングを備え、両端で他部品と結合される変圧器構成部品の少なくとも一端側の前記結合の結合面が変圧器設置基準面に対して略鉛直方向または略水平方向をなし、前記略鉛直方向をなす結合面を有する結合部はＺ軸−Ｙ軸の２方向またはＺ軸−Ｘ軸の２方向の相対的可移動な構造であり、前記略水平方向をなす結合面を有する結合部はＸ軸−Ｙ軸の２方向の相対的可移動な構造であので、単品寸法公差及び組立誤差を吸収しながらの組立を可能にすることができる効果がある。 
【手続補正５】
【補正対象書類名】明細書
【補正対象項目名】００１０
【補正方法】変更
【補正の内容】
【００１０】
この発明は、通電により誘導磁界を発生させる変圧器コイルおよび積層鉄心をタンクに内蔵する変圧器本体、前記変圧器コイルを絶縁及び冷却する絶縁媒体が前記変圧器本体の前記タンクのタンク内を通して循環する配管及びラジエター、および前記変圧器本体の外部口出し線と前記変圧器本体の前記タンクとの絶縁を維持するブッシングを備え、両端で他部品と結合される変圧器構成部品の少なくとも一端の側の前記結合の結合面が変圧器設置基準面に対して略鉛直方向または略水平方向をなし、前記略鉛直方向をなす結合面を有する結合部はＺ軸−Ｙ軸の２方向またはＺ軸−Ｘ軸の２方向の相対的可移動な構造であり、前記略水平方向をなす結合面を有する結合部はＸ軸−Ｙ軸の２方向の相対的可移動な構造であることを特徴とする変圧器の製造方法であって、前記変圧器本体の組立て後に、前記変圧器構成部品の前記一端の前記変圧器本体への前記結合を行うので、単品寸法公差及び組立誤差を吸収しながらの組立を可能にすることができる効果がある。